(57)【要約】【課題】踵部の接着部材による履き心地の低下、および伸縮性の低下を抑制するフットカバーを提供する。【解決手段】フットカバー（１）は、足（Ｆ）の足裏（１０）を覆う足底部（２）と、足（Ｆ）の爪先（１１）、踵（１２）、および爪先（１１）から踵（１２）にわたる足（Ｆ）の両側（１３）を覆う側面部（３）とを備え、側面部（３）は、履き口部（３ｂ）を有する継ぎ目のない環状の伸縮性生地からなり、足底部（２）と側面部（３）とは、縫製を除く接合方法で接合される。【選択図】図１
2020193427.tif 000002
【特許請求の範囲】
【請求項１】
足の足裏を覆う足底部と、
前記足の爪先、踵、および前記爪先から前記踵にわたる前記足の両側を覆う側面部と、を備え、
前記側面部は、履き口となる開口部を有する環状の伸縮性生地からなり、
前記足底部と前記側面部とは、縫製を除く接合方法で接合されており、
前記側面部は、
継ぎ目のない前記環状の伸縮性生地からなるか、または、
前記踵の後端に対応する踵後部を除く位置に継ぎ目があり、該継ぎ目において伸縮性生地同士が縫製を除く接合方法で接合された前記環状の伸縮性生地からなることを特徴とするフットカバー。
【請求項２】
前記環状の伸縮性生地が略平面的な形状であることを特徴とする請求項１に記載のフットカバー。
【請求項３】
側面視において前記フットカバー全体が略平面的な形状となるように、前記足底部と前記側面部とが接合されたことを特徴とする請求項２に記載のフットカバー。
【請求項４】
前記足底部は、前記足に接する内側生地と、前記内側生地を覆う外側生地とを含むことを特徴とする請求項１から３のいずれか１項に記載のフットカバー。
【請求項５】
前記内側生地と前記外側生地とは、異なる素材からなることを特徴とする請求項４に記載のフットカバー。
【請求項６】
前記足底部と前記側面部との接合部分が、前記足の足裏側に位置していることを特徴とする請求項１から５のいずれか１項に記載のフットカバー。
【請求項７】
前記足底部の外周部分と前記側面部の外周部分とを無縫製接合する接合部材を、さらに備えることを特徴とする請求項１から６のいずれか１項に記載のフットカバー。
【請求項８】
前記足底部と前記側面部とは、互いに重なり合うことなく、前記接合部材によって接合されることを特徴とする請求項７に記載のフットカバー。
【請求項９】
前記伸縮性生地は、フリーカット生地からなることを特徴とする請求項１から８のいずれか１項に記載のフットカバー。
【請求項１０】
足の足裏を覆う足底部を形成する足底部形成工程と、
前記足の爪先、踵、および前記爪先から前記踵にわたる前記足の両側を覆う側面部を形成する側面部形成工程と、
前記足底部と前記側面部とを、縫製を除く接合方法で接合する接合工程と、を含み、
前記側面部形成工程にて、
伸縮性生地を裁断して、履き口となる開口部を有する、略平面的かつ継ぎ目のない環状の前記側面部を形成するか、または、
伸縮性生地同士を縫製を除く接合方法で接合して、履き口となる開口部を有する、略平面的かつ前記踵の後端に対応する踵後部を除く位置に継ぎ目のある環状の前記側面部を形成することを特徴とするフットカバーの製造方法。
【請求項１１】
前記接合工程にて、前記足底部と前記側面部とが互いに重なり合わないように、前記足底部と前記側面部とを帯状の接合部材によって接合することを特徴とする請求項１０に記載のフットカバーの製造方法。
【請求項１２】
前記接合工程にて、前記足底部の外周部分と前記側面部の外周部分とが互いに重なり合うように、前記足底部と前記側面部とを、熱融着によって接合することを特徴とする請求項１０に記載のフットカバーの製造方法。
【請求項１３】
前記接合工程にて、前記足底部の外周部分と前記側面部の外周部分とが互いに重なり合うように、前記足底部と前記側面部とを、接着剤によって接合することを特徴とする請求項１０に記載のフットカバーの製造方法。
【発明の詳細な説明】
【技術分野】
【０００１】
本発明は、フットカバーに関し、より詳細には、縫製以外の方法で接合されるフットカバーに関する。
【背景技術】
【０００２】
近年、素足に直接履いているように、パンプスやスニーカー等の靴を履くことが、広く一般に行われている。素足に直接靴を履いた場合、汗等によって靴の中が蒸れるため、フットカバーを履くことが多くなっている。しかし、フットカバーに縫製（縫い目）部分があると、パンプス等に圧迫されて、縫製部分が肌に食い込んだり、縫製部分が肌にあたって履き心地が低下する。
【０００３】
そこで、縫製部分を有さないフットカバーが提案されている。例えば、下記の特許文献１および特許文献２には、編地を接着テープで接合することによって、縫製部分のない立体的な形状に形成されるフットカバーが開示されている。特許文献１では、側辺部、踵部、および爪先部を形成する第１の伸縮性編地と、足底部を形成する第２の伸縮性編地とを接着テープ等の接着部材で接合することにより、フットカバーを、縫い目部分のない立体的な形状に形成している。また、特許文献２では、１枚の伸縮性編地を接着テープで接合することによって、フットカバーを、縫製部分のない立体的な形状に形成している。
【先行技術文献】
【特許文献】
【０００４】
【特許文献１】特開２０１８−９５９９６号公報（２０１８年０６月２１日公開）
【特許文献２】特開２０１７−１４６６９号公報（２０１７年０１月１９日公開）
【発明の概要】
【発明が解決しようとする課題】
【０００５】
しかしながら、特許文献１および２の技術は、フットカバーが脱げ易い踵部（踵後部）に、接着テープを貼る構成となっている。フットカバーは、通常、履いた際に目立たないように、足を覆う部分の面積が小さく形成されることが多いため、脱げ易い構造となっている。フットカバーが脱げる際は、まず踵部からフットカバーが外れてしまい、踵部に追随するように、足底部や側面部の踵寄りの部分も一緒に脱げてしまう場合が多い。このように、フットカバーが脱げ易い踵部（踵後部）に接着テープを貼ると、生地の伸縮性が損なわれ、履き位置がずれて余計に脱げ易くなるという問題が生じる。さらに、踵部は、生地が強く足に圧着する部分であるため、踵部（踵後部）に接着テープを貼ると、履き心地が低下してしまうという問題も生じる。
【０００６】
本発明の一態様は、前記の問題点に鑑みてなされたものであり、履き心地の低下、およびずれ・脱げを抑制するフットカバーを提供することを目的とする。
【課題を解決するための手段】
【０００７】
上記の課題を解決するために、本発明の一態様に係るフットカバーは、足の足裏を覆う足底部と、前記足の爪先、踵、および前記爪先から前記踵にわたる前記足の両側を覆う側面部と、を備え、前記側面部は、履き口となる開口部を有する環状の伸縮性生地からなり、前記足底部と前記側面部とは、縫製を除く接合方法で接合されており、前記側面部は、継ぎ目のない前記環状の伸縮性生地からなるか、または、前記踵の後端に対応する踵後部を除く位置に継ぎ目があり、該継ぎ目において伸縮性生地同士が縫製を除く接合方法で接合された前記環状の伸縮性生地からなる構成である。
【０００８】
前記の構成によれば、側面部が、継ぎ目のない環状の伸縮性生地か、または、踵後部を除く位置で無縫製接合された環状の伸縮性生地からなるため、履き心地の低下、およびずれ・脱げを抑制するフットカバーを提供することができる。
【０００９】
また、本発明の一態様に係るフットカバーでは、前記環状の伸縮性生地が略平面的な形状であってもよい。
【００１０】
前記の構成によれば、側面部をなす環状の伸縮性生地が略平面的な形状であるため、非着用時におけるフットカバー全体の高さを抑制することができる。
【００１１】
また、本発明の一態様に係るフットカバーでは、側面視において前記フットカバー全体が略平面的な形状となるように、前記足底部と前記側面部とが接合されてもよい。
【００１２】
前記の構成によれば、フットカバー全体が略平面的な形状であるため、フットカバーを型紙に装着して包装する際に、皺や折り目がつかず、製品の形状を損なわずに売り場等に陳列することができる。また、嵩張らないため保管の場所を取らず、効率的に輸送することができる。
【００１３】
また、本発明の一態様に係るフットカバーでは、前記足底部は、前記足に接する内側生地と、前記内側生地を覆う外側生地とを含んでもよい。
【００１４】
前記の構成によれば、足底部が二重構造であるため、前記足底部の強度を向上することができる。
【００１５】
また、本発明の一態様に係るフットカバーでは、前記内側生地と前記外側生地とは、異なる素材からなってもよい。
【００１６】
前記の構成によれば、例えば、肌に接する内側生地を通気性の良い天然繊維、外側生地を強度のある合成繊維とすることにより、履き心地と強度とを両立することができる。
【００１７】
また、本発明の一態様に係るフットカバーでは、前記足底部と前記側面部との接合部分が、前記足の足裏側に位置していてもよい。
【００１８】
前記の構成によれば、接合部分が前記足の足裏側に位置しており、接合部分の圧着を感じやすい足の爪先に位置しないため、履き心地が向上する。
【００１９】
また、本発明の一態様に係るフットカバーでは、前記足底部の外周部分と前記側面部の外周部分とを無縫製接合する接合部材を、さらに備えていてもよい。
【００２０】
前記の構成によれば、例えば、接着テープ等の接合部材によって、足底部の外周部分と側面部の外周部分とを接合するため、接合部分の強度を向上させることができる。
【００２１】
また、本発明の一態様に係るフットカバーでは、前記足底部と前記側面部とは、互いに重なり合うことなく、前記接合部材によって接合されてもよい。
【００２２】
前記の構成によれば、接合部分において、足底部と側面部とは互いに重なり合わないため、接合部分の厚みを薄くすることができ、履き心地が向上する。
【００２３】
また、本発明の一態様に係るフットカバーでは、前記伸縮性生地は、フリーカット生地からなってもよい。
【００２４】
前記の構成によれば、履き口である開口部のほつれ等を防止するために、開口部の周縁部を折返し処理することや、開口部の周縁に沿って伸縮性細幅生地を取り付ける必要がないため、履き心地が向上する。
【００２５】
上記の課題を解決するために、本発明の一態様に係るフットカバーの製造方法は、足の足裏を覆う足底部を形成する足底部形成工程と、前記足の爪先、踵、および前記爪先から前記踵にわたる前記足の両側を覆う側面部を形成する側面部形成工程と、前記足底部と前記側面部とを、縫製を除く接合方法で接合する接合工程と、を含み、前記側面部形成工程にて、伸縮性生地を裁断して、履き口となる開口部を有する、略平面的かつ継ぎ目のない環状の前記側面部を形成するか、または、伸縮性生地同士を縫製を除く接合方法で接合して、履き口となる開口部を有する、略平面的かつ前記踵の後端に対応する踵後部を除く位置に継ぎ目のある環状の前記側面部を形成する方法である。
【００２６】
前記の方法によれば、側面部形成工程にて、略平面的かつ継ぎ目のない環状の側面部を形成するか、または、略平面的かつ踵後部に継ぎ目のない環状の側面部を形成する。そのため、履き心地の低下、および伸縮性の低下を抑制するフットカバーを製造することができる。
【００２７】
また、本発明の一態様に係るフットカバーの製造方法では、前記接合工程にて、前記足底部と前記側面部とが互いに重なり合わないように、前記足底部と前記側面部とを帯状の接合部材によって接合してもよい。
【００２８】
前記の方法によれば、足底部と側面部とは互いに重なり合わないように帯状の接合部材によって接合されるため、接合部分の厚みを薄くすることができ、履き心地が向上する。
【００２９】
また、本発明の一態様に係るフットカバーの製造方法では、前記接合工程にて、前記足底部の外周部分と前記側面部の外周部分とが互いに重なり合うように、前記足底部と前記側面部とを、熱融着によって接合してもよい。
【００３０】
前記の方法によれば、熱融着によって、別部材を用いることなく足底部と側面部とを容易に接合することができる。
【００３１】
また、本発明の一態様に係るフットカバーの製造方法では、前記接合工程にて、前記足底部の外周部分と前記側面部の外周部分とが互いに重なり合うように、前記足底部と前記側面部とを、接着剤によって接合してもよい。
【００３２】
前記の方法によれば、接着剤によって足底部と側面部とを容易に接合することができる。
【発明の効果】
【００３３】
本発明の一態様によれば、履き心地の低下、およびずれ・脱げを抑制するフットカバーを提供することができる。
【図面の簡単な説明】
【００３４】
【図１】本発明の実施形態１に係るフットカバーを足に着用した状態を示す斜視図である。
【図２】上記フットカバーの平面図である。
【図３】図２に示すフットカバーの底面図である。
【図４】図２に示すフットカバーの正面図である。
【図５】図２に示すフットカバーの左側面図である。
【図６】図２に示すフットカバーを裏返して接合部材を露出させた図である。
【図７】図２に示すＡ−Ａ線で切断した端面図である。
【図８】本発明の実施形態２に係るフットカバーの平面図である。
【発明を実施するための形態】
【００３５】
〔実施形態１〕
以下、本発明の実施形態について、図１〜図６に基づいて説明する。本実施形態では、左右を履き違えることがないように、左右共用で使用できるフットカバー１の例について説明する。ただし、これに限らす、左足用および右足用を備えるものであってもよい。また、例えば、フットカバー１は、足袋形状のもの、５本指形状のものであってもよい。
【００３６】
（フットカバーの概要）
図１は、本発明の実施形態に係るフットカバー１を足Ｆに着用した状態を示す斜視図である。図１に示すように、フットカバー１は、足Ｆの足裏１０を覆う足底部２と、足Ｆの爪先１１、踵１２、および爪先１１から踵１２にわたる両側１３を覆う側面部３とを備えている。このフットカバー１は、足底部２および側面部３を構成する２枚の略平面的な生地の外周部分を、互いに縫製を除く接合方法（無縫製接合方法）で接合することによって形成される。ここでいう縫製とは、糸状の別材を使用して生地と生地をとじ合わせる方法全般を指すものとし、とじ合わせる方法（縫い方）や糸の種類は限定されない。
【００３７】
側面部３は伸縮性生地からなり、その略中央部分に、足Ｆを出し入れするための履き口部（履き口）３ｂとなる開口部が、略楕円形状にくり抜かれて形成される。履き口部３ｂは、足Ｆの甲および足首が露出するように大きく開口して設けられる。これにより、靴を履いたときに、フットカバー１全体が靴の中に隠れ、目立たないように履くことができる。
【００３８】
足底部２および側面部３には、例えば、後述する超音波溶着等によって、接合することができるように、ナイロンやポリエステル等の合成繊維が用いられる。また、伸縮性が高いことから、編地の方が好ましいが、織地であってもよい。
【００３９】
（フットカバーの構成）
次に、図２〜図６に基づいて、フットカバー１の具体的な構成を説明する。図２は本実施形態に係るフットカバー１の平面図であり、図３はフットカバー１の底面図であり、図４はフットカバー１の正面図であり、図５はフットカバー１の背面図であり、図６はフットカバー１を裏返して接合部材４を露出させた図である。
【００４０】
図２に示すように、側面部３は、足底部２の外周形状に対応する形状であって、足底部２よりやや大きくなるように、継ぎ目のない１枚の伸縮性生地を裁断して形成される。また、側面部３は、略中央部分をくり抜いて、履き口部３ｂが設けられる。これにより、側面部３は、略平面的かつ継ぎ目のない、履き口部３ｂを中心とした環状に形成される。
【００４１】
なお、側面部３は、継ぎ目のない構成には限定されない。側面部３は、踵１２の後端に対応する踵後部（図８の参照符号「３２ａ」参照）を除く位置に継ぎ目が設けられていてもよい。即ち、側面部３は、踵後部に継ぎ目がなければよい。踵後部に継ぎ目がないことにより、フットカバー１の踵部の着用感の低下を抑制することができる。本明細書において、踵１２の後端とは、足Ｆの後端に位置する踵１２（踵骨）の背面領域を指す。また、側面部３の踵後部とは、踵１２の後端に対応する側面部３の踵部の後端領域であって、特に、着用時の背面視において側面部３の踵部（または踵１２（踵骨）の背面）を左右に分断（略二等分）する縦線状の領域を指す。なお、側面部に継ぎ目のあるフットカバーの構成例については、後述の実施形態で説明する。
【００４２】
側面部３は、伸縮性生地からなるため、フットカバー１を着用した際に、足Ｆの立体形状に沿うことができ、フットカバー１の脱げや履き位置のずれを防止することができる。
【００４３】
また、履き口部３ｂをくり抜く形状によって、足Ｆの甲を覆う面積を調整することができる。履き口部３ｂの長手方向の長さを長くすると、いわゆる「浅履き」のフットカバー１にすることができる。一方、履き口部３ｂの長手方向の長さを短くすると、「深履き」のフットカバー１にすることができる。
【００４４】
なお、履き口部３ｂの踵１２側の円弧３ｃの径を、フットカバー１の外周の踵１２側の円弧３ｄより大きくすることによって、着用した際に、足Ｆの踵１２の被覆面積が大きくなり、フットカバー１の脱げを防ぐことができる。
【００４５】
また、側面部３を、フリーカット生地（生地端の始末が不要な生地）で構成することによって、ほつれ防止のために、履き口部３ｂの外縁部分を折返し処理することや、履き口部３ｂの周縁に沿って伸縮性の細幅生地や樹脂を取り付ける必要がなくなるとともに、履き心地が向上する。
【００４６】
図３に示すように、足底部２は、足Ｆの足裏１０の形状に合わせて、爪先部分２ｄおよび踵部分２ｅが、それぞれ円弧状に形成される。爪先部分２ｄの円弧の径は、踵部分２ｅの径よりやや大きく形成される。また、爪先部分２ｄから踵部分２ｅにわたる土踏まずの両側部分２ｆは、それぞれ円弧状に形成され、互いに接近する方向へ緩やかに凹んで形成される。なお、足底部２は、この形状に限定されず、足Ｆの形状に合わせて他の形状に変更可能である。
【００４７】
図４に示すように、フットカバー１は、側面視においてその外観形状が略平面的な形状を有する。即ち、フットカバー１は、フットカバー１全体として略平面的な形状となるように、足底部２および側面部３を構成する略平面的な２枚の生地の各外周部分２ａ・３ａを互いに無縫製接合することによって形成される。
【００４８】
詳細に説明すると、側面部３は、フットカバー１を履いていない状態において、例えばフットカバー１の踵部分に、略垂直方向など平面以外の方向に立ち上がるような加工や編目編成、接合するための縫製等が施されておらず、略平面的かつ継ぎ目のない形状を有する。このような側面部３の外周部分３ａに、側面部３と同様に、略平面的な形状を有する足底部２の外周部分２ａを、略平面的な形状となるように接合することによって、フットカバー１を形成する。このため、フットカバー１は、図４および図５に示すように、側面視および正面視等において、全体的に略平面的な形状となる。即ち、生地および接合部材の厚さと自然に生じる皺やヨレ以外、具体的な高さを構成しない非立体的な形状であり、足底を模った陳列用の台紙を装着し台紙面に沿って生地がやや伸長したとき、フットカバー１表・裏（フットカバー１の側面部３・足底部２）ともに生地面が台紙面に密着するような形状である。
【００４９】
これにより、フットカバー１を台紙に装着して包装する際に、皺や折り目がつかず、製品の形状を損なわずに売り場等に陳列することができる。また、嵩張らないため保管の場所を取らず、効率的に輸送することができる。さらに、継ぎ目を接合する手順を省略することができる。
【００５０】
また、全体が略平面的な形状であることから、着用時に側面部３のうち踵１２に対応する生地が踵形状に沿って立ち上がるため当該生地が踵１２にフィットする方向へ力が働きやすく、かつ、足底部２および側面部３の各外周部分２ａ・３ａが無縫製接合によって形成されていることから、縫製による凸部がないため踵形状にフィットしやすい。以上により踵１２全体のフィット感を高めることができ、ずれ・脱げを抑制することができる。
【００５１】
（超音波溶着）
足底部２と側面部３とは、例えば、超音波溶着によって接合される。超音波溶着とは、接合する２枚の生地に超音波振動と加圧をかけることによって、生地の接合面に摩擦熱を発生させ、瞬時に溶融し接合する方法である。超音波溶着によって接合する生地の各接合面を、突き合わすように接合することができる。このため、接合のために２枚の生地を重ね合わせる必要がなく、凸状に突出しない略平坦な接合部分５を形成することができ、履き心地を向上することができる。
【００５２】
（接合部材）
図６に示すように、接合部分５は、足Ｆの足裏１０の外縁部分近傍に位置するのが望ましいが、中心寄りにあっても良い。本実施形態では、フットカバー１の内側において、接合部分５の上に例えば接着テープ等の接合部材４がさらに貼設される。接着テープとは、アクリル系、シリコン系等の樹脂や、合成ゴム等の粘着性の材料からなり、当該接着テープを加熱融着させて、生地同士を接合する方法に用いられる。
【００５３】
接合部分５のラインが、接合部材４の幅方向中心と重なるように、側面部３の内側部分に、帯状の接合部材４を貼設することにより、接合部分５の強度を増加させることができる。
【００５４】
なお、フットカバー１を足Ｆに着用した状態では、側面部３が伸縮性生地からなるため、側面部３が足Ｆの形状に合わせて伸びる。そのため、フットカバー１を足Ｆにフィットさせることができる。ここで、足底部２と側面部３とを縫製接合した構成と比較すると、縫製接合した場合は、接合部分５が凸状に突出した細いライン状となる。このため、着用者が歩くと、その動きに付随して、接合部分５も動くおそれがある。接合部分５が、爪先１１に圧着したり、凸状に突出した接合部分５を踏むことによって、履き心地が低下する。また、接合部分５が凸状に突出することにより、フットカバー全体を略平面的な形状に形成し難く、特に側面部３の生地が薄い場合は表面に凸状部が現れるなど陳列時の美観を損ねやすい。
【００５５】
これに対し、本実施形態に係るフットカバー１は、略平面的な足底部２と側面部３とを無縫製接合する。そのため、フットカバー１全体を略平面的な形状に好適に形成することができるとともに、履き心地が低下したり、脱げ易くなることを防ぐことができる。
【００５６】
（フットカバーの製造方法）
次に、フットカバー１の製造方法について説明する。フットカバー１の製造方法は、足底部２を形成する足底部形成工程と、側面部３を形成する側面部形成工程と、足底部２と側面部３とを無縫製接合する接合工程とを含む。
【００５７】
フットカバー１の製造方法では、側面部形成工程にて、所要のパターンに沿って伸縮性生地を裁断して、履き口３ｂとなる開口部を有する、略平面的かつ継ぎ目のない環状の側面部３を形成する。そのため、接合工程にて、足底部２および側面部３を構成する２枚の略平面的な生地の外周部分を無縫製接合することによって、履き心地の低下、および伸縮性の低下を抑制可能なフットカバー１を製造することができる。
【００５８】
なお、接合工程にて、足底部２と側面部３とが互いに重なり合わないように超音波溶着し、さらに足底部２と側面部３とを帯状の接合部材４によって接合してもよい。これにより、接合部分５の厚みを薄くすることができ、履き心地が向上する。
【００５９】
また、接合工程にて、足底部２の外周部分と側面部３の外周部分とが互いに重なり合うように、足底部２と側面部３とを、熱融着または接着剤によって接合してもよい。これにより、足底部２と側面部３とを容易に接合することができる。なお、足底部２と側面部３とを熱融着または接着剤によって接合した接合部分５に、接着テープ等の接合部材４を貼設してもよい。これにより、接合部分５の強度を増加させることができる。
【００６０】
〔実施形態２〕
本発明の他の実施形態について、図７を参照して以下に説明する。なお、説明の便宜上、上記実施形態にて説明した部材と同じ機能を有する部材については、同じ符号を付記し、その説明を繰り返さない。
【００６１】
（２重底）
図７は、図２に示すＡ−Ａ線で切断した端面図である。なお、フットカバー１は、略平面的な形状に構成されているが、図７では、説明の便宜上、立体的に図示している。図７に示すように、足底部２は、足Ｆに接する内側生地２ｂと、内側生地２ｂを外側から覆う外側生地２ｃとを含むように構成してもよい。これにより、例えば、内側生地２ｂには、肌にやさしく通気性の良い天然繊維の生地を用い、外側生地２ｃには、強度があって、超音波溶着ができる合成繊維の生地を用いる等、内側生地２ｂと外側生地２ｃとで素材を変えることができる。
【００６２】
この場合、足底部２の外側生地２ｃと側面部３とは、例えば、超音波溶着によって接合される。超音波溶着によって接合された接合部分５の上から、接着テープ等の接合部材４ａを貼設して補強する。さらに、その上に内側生地２ｂを載置し、接着テープ等の接合部材４ｂを貼設して、接合部材４ａと内側生地２ｂとを接合する。
【００６３】
このように、超音波溶着で接合した後に、接着テープ等の接合部材４でさらに接合することによって、接合部分５を平坦にして、履き心地の低下を防止し、充分な接合の強度を保つことができる。
【００６４】
〔実施形態３〕
本発明のさらに他の実施形態について、図８を参照して以下に説明する。なお、説明の便宜上、上記実施形態にて説明した部材と同じ機能を有する部材については、同じ符号を付記し、その説明を繰り返さない。
【００６５】
（フットカバーの構成）
図８は、本発明の実施形態に係るフットカバー１ａを示す平面図である。図８は、フットカバー１ａを裏返した状態を示している。
【００６６】
図８に示すように、フットカバー１ａは、足底部２と、側面部３０とを備えている。側面部３０は、第１側面部３１（側面部）と第２側面部（側面部・踵部）３２とを含んでいる。第１側面部３１は、足Ｆの爪先１１および両側１３を覆う伸縮性生地からなっている。第２側面部３２は、足Ｆの踵１３を覆う伸縮性生地からなっている。第１側面部３１と第２側面部３２とは、足Ｆの踵１３の左右両側に対応する側面部３０の踵両側部において、縫製を除く接合方法で互いに接合されている。これにより、環状の伸縮性生地からなる側面部３０が形成されている。
【００６７】
側面部３０の踵両側部には、第１側面部３１と第２側面部３２との接合部分である継ぎ目６が設けられている。第１側面部３１と第２側面部３２とが継ぎ目６において接合されることによって、側面部３０の略中央部分に略矩形形状の履き口部３ｂが形成される。フットカバー１ａでは、足Ｆの甲を覆う側面部３０の面積が上述したフットカバー１よりも大きくなっている。即ち、フットカバー１ａは、履き口部３ｂの長手方向の長さがフットカバー１よりも小さく形成された「深履き」タイプのフットカバーである。
【００６８】
ここで、フットカバー１ａでは、踵１２の後端に対応する第２側面部３２の踵後部３２ａに継ぎ目６がないように、踵後部３２ａを除く位置に継ぎ目６を設けている。即ち、着用時の背面視において第２側面部３２を左右に分断（略二等分）するように第２側面部３２の中央部を縦断する縦線状領域である踵後部３２ａを除く位置に継ぎ目６を設けている。踵後部３２ａを除く位置に継ぎ目６を設けることにより、圧着を感じやすい踵１２の後端に継ぎ目６がないため、履き心地の低下が抑制される。そのため、フットカバー１の踵部（第２側面部３２）の着用感の低下を抑制することができる。
【００６９】
なお、継ぎ目６は踵後部３２ａになければよい。したがって、踵後部３２ａを除く位置であれば、本実施形態のように側面部３０の踵両側部に継ぎ目６を設けてもよく、該踵両側部以外の位置に継ぎ目６を設けてもよい。
【００７０】
（フットカバーの製造方法）
フットカバー１ａの製造方法は、足底部２を形成する足底部形成工程と、側面部３０を形成する側面部形成工程と、足底部２と側面部３０とを無縫製接合する接合工程とを含む。これらの工程のうち、足底部形成工程および接合工程は、上述したフットカバー１の製造方法と実質的に同じであるため、説明を省略する。
【００７１】
側面部形成工程では、第１側面部３１のパターンおよび第２側面部３２のパターンに沿って伸縮性生地を裁断する。そして、裁断した第１側面部３１の伸縮性生地と第２側面部３２の伸縮性生地とを無縫製接合する。この時、踵後部３２ａを除く位置に継ぎ目６が位置するように、第１側面部３１と第２側面部３２とを接合する。これにより、履き口３ｂとなる開口部を有する、略平面的かつ踵後部３２ａを除く位置に継ぎ目６のある環状の側面部３０を形成する。そして、接合工程にて、足底部２および側面部３０を構成する２枚の略平面的な生地の外周部分を無縫製接合することによって、フットカバー１ａを製造することができる。
【００７２】
（フットカバーの効果）
本実施形態に係るフットカバー１ａは、足Ｆの足裏１０を覆う足底部２と、足Ｆの爪先１１、踵１２、および爪先１１から踵１２にわたる足の両側１３を覆う側面部３０とを備えている。側面部３０は、踵１２の後端に対応する踵後部３２ａを除く位置に継ぎ目６があり、継ぎ目６において第１側面部３１の伸縮性生地と第２側面部３２の伸縮性生地とが縫製を除く接合方法で接合された環状の伸縮性生地からなる。
【００７３】
フットカバー１ａによれば、側面部３０が踵後部３２ａを除く位置（継ぎ目６）で接合された環状の伸縮性生地からなるため、履き心地の低下、およびずれ・脱げを抑制することができる。
【００７４】
〔変形例〕
上記各実施形態で説明した例は、適宜変更することが可能である。例えば、実施形態１および実施形態２では、超音波溶着と接着テープを組合せた接合方法を説明したが、縫製以外の方法であれば、例えば、以下に挙げる接合方法によって接合してもよい。
【００７５】
（熱融着）
足底部２と側面部３とを、例えば、熱融着によって接合してもよい。足底部２の外周部分２ａと、側面部３の外周部分３ａとを重ね合わせ、重ね合させた部分に熱を加えて融着させる。この方法によると、接合部分の生地の伸縮性を損なわずに接着することができる。
【００７６】
（接着剤）
足底部２と側面部３とを、例えば、接着剤によって接合してもよい。足底部２の外周部分２ａと、側面部３の外周部分３ａとを重ね合わせ、重ね合させた部分に粘着性ポリマー等の接着剤を塗布し、熱融着によって接合する。または、加熱しなくても接合できる接着剤を塗布して接合してもよい。
【００７７】
（滑り止め）
また、接着テープを、フットカバー１の内側から接合部分５に貼設して補強する例について説明したが、足底部２よりも摩擦係数の高い接着テープを、フットカバー１の外側から接合部分５に貼設して、滑り止めの機能を兼ねさせてもよい。
【００７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７９】
１    フットカバー
１ａ  フットカバー
２    足底部
２ａ  外周部分
２ｂ  内側生地
２ｃ  外側生地
３    側面部
３ａ  外周部分
３ｂ  履き口部（履き口）
４    接合部材
５    接合部分
６    継ぎ目
１０    足裏
１１    爪先
１２    踵
１３    両側
３０    側面部
３１    第１側面部（側面部）
３２    第２側面部（側面部・踵部）
３２ａ  踵後部
Ｆ    足
【図１】
2020193427.tif 000003
【図２】
2020193427.tif 000004
【図３】
2020193427.tif 000005
【図４】
2020193427.tif 000006
【図５】
2020193427.tif 000007
【図６】
2020193427.tif 000008
【図７】
2020193427.tif 000009
【図８】
2020193427.tif 000010